(57)【要約】【課題】  取り扱いやすさや、確実な作動性、また鳥獣威嚇効果、火の安全性等の点で優れた鳥獣威嚇装置を提供する。【解決手段】  火縄２１を爆竹支承板２２に設置し、この火縄２１に対し、複数の爆竹単体２６から成る爆竹連結体２５を、所定間隔で連爆用導火線２７により吊り下げ状態に取り付けた一枚または複数枚の威嚇音発生体２と、この威嚇音発生体２の火縄２１の始端に対し連結される火縄３１を威嚇音発生までの残り時間が記載されたタイマー支承板３２上に設置した一枚または複数枚のタイマー体３とを、収容器４の収容本体部５に複数段に配設して成ることを特徴とする。【選択図】図１
2005261253.tif 000002
【特許請求の範囲】
【請求項１】
火縄を爆竹支承板に設置し、この火縄に対し、複数の爆竹単体から成る爆竹連結体を、所定間隔で連爆用導火線により吊り下げ状態に取り付けた一枚または複数枚の威嚇音発生体と、この威嚇音発生体の火縄の始端に対し連結される火縄を威嚇音発生までの残り時間が記載されたタイマー支承板上に設置した一枚または複数枚のタイマー体とを、収容器の収容本体部に複数段に配設して成ることを特徴とする鳥獣威嚇装置。
【請求項２】
前記収容器は、前記威嚇音発生体及びタイマー体が収容され外周面が通気性を有さない前記収容本体部と、この収容本体部下方に形成され、その外周面を通気性とした筒状部材であって、前記爆竹連結体が連爆用導火線着火時に落下し、威嚇音を発生する威嚇音発生部と、前記収容本体部の上部を閉鎖する上蓋とを具えて成ることを特徴とする請求項１記載の鳥獣威嚇装置。
【請求項３】
前記収容本体部は、側壁下部が下方に向かって先窄まりにテーパ状に形成されていることを特徴とする請求項１または２記載の鳥獣威嚇装置。
【請求項４】
前記威嚇音発生部の底部には、薄い金属板から成る共鳴板が浮動状態に設けられていることを特徴とする請求項２または３記載の鳥獣威嚇装置。
【請求項５】
前記共鳴板と、威嚇音発生部の周壁面との間には、破裂後の爆竹連結体の破裂残渣が落下するための隙間が設けられていることを特徴とする請求項４記載の鳥獣威嚇装置。
【請求項６】
前記共鳴板の高さからややその上方の高さ位置における前記威嚇音発生部の周壁面は側周閉鎖板により囲まれていることを特徴とする請求項４または５記載の鳥獣威嚇装置。
【請求項７】
前記タイマー体及び威嚇音発生体には、威嚇音発生体とタイマー体の周辺に空気を行き渡らせるための通風切欠または通風孔のうち、いずれか一方または双方が設けられていることを特徴とする請求項１、２、３、４、５または６記載の鳥獣威嚇装置。
【請求項８】
前記タイマー体の周縁部には、設定作業時において、その時刻から威嚇音を鳴らす鳴動時刻までの時間間隔を知るための逆算早見印字が印刷されていることを特徴とする請求項１、２、３、４、５、６または７記載の鳥獣威嚇装置。
【請求項９】
前記上蓋の周縁は、収容本体部の上縁開口部を完全に密閉しないように収容本体部の上縁より浮かせて支持されるものであり、且つ上蓋の内面は周縁に向かって下がり傾斜に形成されていることを特徴とする請求項２、３、４、５、６、７または８記載の鳥獣威嚇装置。
【請求項１０】
前記威嚇音発生体の火縄の燃焼を途中で停止させるための燃焼中断用クリップが具えられていることを特徴とする請求項１、２、３、４、５、６、７、８または９記載の鳥獣威嚇装置。
【発明の詳細な説明】
【技術分野】
【０００１】
本発明は農業、林業、漁業、更には日常生活で生じる有害な鳥獣被害を玩具花火の破裂音等で防止軽減する鳥獣威嚇装置に関するものである。
【背景技術】
【０００２】
ほとんどの鳥獣は自分たちのパターンで１日の行動がプログラムされており、安全なねぐらに群れ、つがいやグループでかたまって行動する。鳥類においては日の出前に餌場に飛来して満腹となるまで食べ尽くし、次に水場で水の補給と水浴びや羽根の手入れを行う。この行動は餌が無くなるか、餌場が危険地域と認識するまで、毎日続く。この習性から、鳥類の朝一番の行動である餌場への飛来を防ぐことによって、日中再び飛来する確率は飛躍的に減少させることができる。ところで従来より鳥獣の威嚇として、爆竹等の花火の破裂音による威嚇が広く試みられているが、この手法にあっては前述した鳥類の習性に因み、毎朝、日の出前に起きて爆竹等の花火を鳴らすことが必要であり、このような作業は当然ながら面倒であり、身体的な負担も大きい。
【０００３】
そこで本出願人は爆竹に着火するタイマー機能を有した鳥獣威嚇装置として、蚊取線香を用いたものを発明したが（特許文献１参照）、購入した線香が変形していたり、折れていたり等の原料の問題点、更に組み立て時に熟練を要したり、あるいは荷扱いで折れたりと複数の問題点があった。また日本国内の玩具花火規定で従来の紙巻き導火線が安全のために糸巻き導火線（袋打ち導火線）に変更になり線香の熱量では着火できなく、しかも導火線がフレキシブルでないので線香の適用は困難となった。
【０００４】
そこでタイマーとして香取線香に変え、火縄を用いるものを発明し、この鳥獣威嚇装置並びにこれに用いる花火組立体の製造方法の出願に到っている（特許文献２参照）。
【０００５】
しかしながら、鳥獣威嚇装置全体の取り扱いやすさや、確実な作動性、また鳥獣威嚇効果の向上、火の安全性等の点で更なる改良の余地があった。
【特許文献１】特開平１０−５２２１２号公報
【特許文献２】特開２００２−９８４９９公報
【発明の開示】
【発明が解決しようとする課題】
【０００６】
本発明はこのような背景からなされたものであって、火縄を用いた鳥獣威嚇装置において、取り扱いやすさや、確実な作動性、また鳥獣威嚇効果、火の安全性等の点で更なる向上を実現しようとするものである。
【課題を解決するための手段】
【０００７】
すなわち請求項１記載の鳥獣威嚇装置は、火縄を爆竹支承板に設置し、この火縄に対し、複数の爆竹単体から成る爆竹連結体を、所定間隔で連爆用導火線により吊り下げ状態に取り付けた一枚または複数枚の威嚇音発生体と、この威嚇音発生体の火縄の始端に対し連結される火縄を威嚇音発生までの残り時間が記載されたタイマー支承板上に設置した一枚または複数枚のタイマー体とを、収容器の収容本体部に複数段に配設して成ることを特徴として成るものである。
【０００８】
また請求項２記載の鳥獣威嚇装置は、前記請求項１記載の要件に加え、前記収容器は、前記威嚇音発生体及びタイマー体が収容され外周面が通気性を有さない前記収容本体部と、この収容本体部下方に形成され、その外周面を通気性とした筒状部材であって、前記爆竹連結体が連爆用導火線着火時に落下し、威嚇音を発生する威嚇音発生部と、前記収容本体部の上部を閉鎖する上蓋とを具えて成ることを特徴として成るものである。
【０００９】
更に請求項３記載の鳥獣威嚇装置は、前記請求項１または２記載の要件に加え、前記収容本体部は、側壁下部が下方に向かって先窄まりにテーパ状に形成されていることを特徴として成るものである。
【００１０】
更にまた請求項４記載の鳥獣威嚇装置は、前記請求項２または３記載の要件に加え、前記威嚇音発生部の底部には、薄い金属板から成る共鳴板が浮動状態に設けられていることを特徴として成るものである。
【００１１】
更にまた請求項５記載の鳥獣威嚇装置は、前記請求項４記載の要件に加え、前記共鳴板と、威嚇音発生部の周壁面との間には、破裂後の爆竹連結体の破裂残渣が落下するための隙間が設けられていることを特徴として成るものである。
【００１２】
更にまた請求項６記載の鳥獣威嚇装置は、前記請求項４または５記載の要件に加え、前記共鳴板の高さからややその上方の高さ位置における前記威嚇音発生部の周壁面は側周閉鎖板により囲まれていることを特徴として成るものである。
【００１３】
更にまた請求項７記載の鳥獣威嚇装置は、前記請求項１、２、３、４、５または６記載の要件に加え、前記タイマー体及び威嚇音発生体には、威嚇音発生体とタイマー体の周辺に空気を行き渡らせるための通風切欠または通風孔のうち、いずれか一方または双方が設けられていることを特徴として成るものである。
【００１４】
更にまた請求項８記載の鳥獣威嚇装置は、前記請求項１、２、３、４、５、６または７記載の要件に加え、前記タイマー体の周縁部には、設定作業時において、その時刻から威嚇音を鳴らす鳴動時刻までの時間間隔を知るための逆算早見印字が印刷されていることを特徴として成るものである。
【００１５】
更にまた請求項９記載の鳥獣威嚇装置は、前記請求項２、３、４、５、６、７または８記載の要件に加え、前記上蓋の周縁は、収容本体部の上縁開口部を完全に密閉しないように収容本体部の上縁より浮かせて支持されるものであり、且つ上蓋の内面は周縁に向かって下がり傾斜に形成されていることを特徴として成るものである。
【００１６】
更にまた請求項１０記載の鳥獣威嚇装置は、前記請求項１、２、３、４、５、６、７、８または９記載の要件に加え、前記威嚇音発生体の火縄の燃焼を途中で停止させるための燃焼中断用クリップが具えられていることを特徴として成るものである。
【発明の効果】
【００１７】
本発明の鳥獣威嚇装置は、上述した手段により以下のような効果を奏するものである。  すなわち請求項１記載の鳥獣威嚇装置によれば、威嚇音発生体とタイマー体とを上下方向に複数段に配設して成るため、設置場所を取らない。またタイマー体を増減することにより最初の威嚇音発生までの時間も自由に調節できる。また威嚇音発生体を増減することにより威嚇音の鳴動時間を調節できる。
【００１８】
また請求項２記載の鳥獣威嚇装置によれば、着火されていない状態では爆竹連結体は収容本体部に収容されているため、風雨から守ることができ、着火された後は外周面が通気性のある威嚇音発生室に移動されるため、爆竹連結体の破裂音が周囲によく響き、また爆竹連結体から発生する煙が外部に排出される。
【００１９】
更に請求項３記載の鳥獣威嚇装置によれば、使用時において収容本体部の唯一の開口部となる底部が、小さな開口に構成されるため、雨や風が収容本体部内に入りにくく、爆竹連結体が雨や露により濡れて湿気たり、風により落とされてしまうことが防がれる。
【００２０】
更にまた請求項４記載の鳥獣威嚇装置によれば、爆竹連結体が共鳴板上で跳ねるように爆発することにより、共鳴板があたかも楽器のシンバルのような音を発し、爆竹連結体のみの破裂音のみの場合に比べて、より鳥獣威嚇効果が大きい。
【００２１】
更にまた請求項５記載の鳥獣威嚇装置によれば、破裂残渣が、共鳴板の浮動時に共鳴板の下方へ落下されるため、共鳴板上に爆竹連結体の破裂残渣が溜まることがなく、従って溜まった破裂残渣に落下してきた爆竹連結体の連爆用導火線の火が燃え移るような心配もない。
【００２２】
更にまた請求項６記載の鳥獣威嚇装置によれば、側周閉鎖板によって、破裂している爆竹連結体の火花及び小さな破裂残渣が、威嚇音発生部の周壁外部へ飛散するのが防がれるとともに、この周面閉鎖板が爆竹連結体の破裂音の共鳴板の役目も担っている。
【００２３】
更にまた請求項７記載の鳥獣威嚇装置によれば、通風切欠または通風孔によって火縄の燃焼が良好に行われ、火縄の火が途中で消えてしまうことがなく、またタイマー作動時間が不正確とならない。
【００２４】
更にまた請求項８記載の鳥獣威嚇装置によれば、逆算早見印字が印刷されているため、タイマー体の火縄のどの位置に着火すればよいかすぐに判断がつく。
【００２５】
更にまた請求項９記載の鳥獣威嚇装置によれば、上蓋の周縁は、収容本体部の上縁開口部を完全に密閉しないように収容本体部の上縁より浮かせて支持されているため、火縄や爆竹連結体から発生する煙が上蓋にヤニとして付着して固化した場合にもスムーズな上蓋の着脱が行えるようにしている。また上蓋の内面は周縁に向かって常に下がり傾斜に形成されているため、火縄の熱等を原因とする上蓋内面に付着する結露が、タイマー体上に落下せずに、上蓋内壁面を伝って外部に排出される。
【００２６】
更にまた請求項１０記載の鳥獣威嚇装置によれば、燃焼中断用クリップによって、威嚇音発生体の火縄の燃焼を途中で停止させることができるため、無駄に爆竹連結体を破裂させずに経済的である。
【発明を実施するための最良の形態】
【００２７】
本発明の最良の形態は、具体的には以下の図示の実施例に述べるとおりである。
【実施例１】
【００２８】
以下本発明を図示の実施の形態に基づき説明する。
図中符号１で示すものが本発明の鳥獣威嚇装置であり、このものは、火縄２１を爆竹支承板２２に渦巻状に設置し、この火縄２１に対し、所定間隔で連爆用導火線２７を介して爆竹連結体２５を吊り下げ状態に取り付けた威嚇音発生体２と、威嚇音発生までの残り時間が記載されたタイマー支承板３２上に渦巻状に火縄３１を設置するとともにこの火縄３１が前記威嚇音発生体２の火縄２１の始端に対し連結されるタイマー体３と、これら威嚇音発生体２とタイマー体３とを収容する収容器４とを具えて成る。
以下各部材について説明する。
【００２９】
まず威嚇音発生体２について説明する。このものは図２、３に示されるように、火縄２１と、この火縄２１を渦巻状に設置する爆竹支承板２２と、火縄２１に対し連爆用導火線２７にて連結される爆竹連結体２５とから成る。
【００３０】
前記爆竹支承板２２について説明すると、一例として円形の段ボール紙等の厚紙上に、火縄２１を載置する位置を記す火縄設置個所印刷２２ａと、威嚇音発生から終了までの時間（すなわちおおよその火縄２１の燃焼時間。因みに本実施例では１０時間。）を記したタイマー印字２２ｂとが記された赤色の薄紙が、貼着されている。また威嚇音発生体２の周縁には、通風のための通風切欠２３が複数設けられるとともに、中心にも通風兼持ち上げ用の通風孔２４が設けられている。
【００３１】
前記爆竹連結体２５について説明すると、このものは図５に示されるように紙製の筒体に火薬が詰められた火薬本体２６Ａに対し、導火線２６Ｂが設けられた爆竹単体２６複数本を、連爆用導火線２７に対して糸２８でくくり付け、束ねたものである。
【００３２】
ここで爆竹連結体２５の作製法と、この作製された爆竹連結体２５の火縄２１への取り付け法について説明する。
まず図６（ａ）に示すように、一例としてピアノ線から成る線状治具Ｐを用意し、これを連爆用導火線２７に対し添わせて、爆竹単体２６の取り付け時に連爆用導火線２７が折れ曲がらないようにする。そして一例として８０ｍｍ長の連爆用導火線２７の片端から約２０ｍｍの個所に、線状治具Ｐを添わせた状態で５回程糸２８を巻く。なお一例として糸巻には、ボビンＢａを取り付けた糸巻具Ｂを用いる。次に図６（ｂ）に示すように、二個の爆竹単体２６の導火線２６Ｂを連爆用導火線２７の左右に添わせた状態で１２回ほど巻いて二個の爆竹単体２６の導火線２６Ｂを連爆用導火線２７にくくり付ける。そして図６（ｃ）に示すように、これら二個の爆竹単体２６より１０ｍｍほど下方左側に一本の爆竹単体２６の導火線２６Ｂを連爆用導火線２７に添わせた状態で前記と同様に１２回ほど巻いて爆竹単体２６の導火線２６Ｂを連爆用導火線２７にくくり付ける。そして順次同様手順で左右順番に１０ｍｍ間隔で爆竹単体２６の導火線２６Ｂを連爆用導火線２７にくくり付ける。そして図６（ｄ）に示すように上から六段目には、前記最初の一段目と同様に二個の爆竹単体２６の導火線２６Ｂを連爆用導火線２７の左右に添わせた状態で連爆用導火線２７にくくりつける。最後の爆竹単体２６の取り付けが完了したら、巻き終わりを二回重ねて結び、余った糸２８を切断する。また線状治具Ｐを引き抜く。
【００３３】
次にこのようにして作製された爆竹連結体２５の火縄２１への取り付け法について説明すると、図７（ａ）に示すように、爆竹支承板２２に火縄２１が接着剤等で取り付けられた状態で、爆竹支承板２２のタイマー印字２２ｂに基づき導火線取付工具Ｔを用いて爆竹連結体２５の連爆用導火線２７を火縄２１に一例として３０分間隔に取り付ける。具体的には図７に示すように、導火線取付工具Ｔは、先の尖った細い中空管Ｔａに柄Ｔｂを取り付けて成るもので、導火線取付工具Ｔの中空管Ｔａを上方から火縄２１と爆竹支承板２２を貫いて下方へ突出させる。そして図７（ｂ）に示すように、この中空管Ｔａ内に爆竹連結体２５の連爆用導火線２７を充分奥まで挿し込み、その後図７（ｃ）に示すように、導火線取付工具Ｔを爆竹支承板２２から引き抜く。この状態で爆竹連結体２５の連爆用導火線２７は火縄２１に取り付けられるが、連爆用導火線２７の先端は火縄２１より上方へ１ｍｍ出る程度に調整する。そして連爆用導火線２７が突出した周囲の火縄２１を強く摘んで、中空管Ｔａにより形成された孔を塞ぎ、連爆用導火線２７の先端に少量の接着剤を塗布する。なお火縄２１の両端と外側面の適宜個所にも接着剤を塗布する。
【００３４】
次にタイマー体３について説明する。このものは図２、４に示すように、火縄３１と、この火縄３１を渦巻状に設置するタイマー支承板３２とから成る。
タイマー体３について説明すると、一例として円形の段ボール紙等の厚紙上に、火縄３１を載置する位置を記す火縄設置個所印刷３２ａと、威嚇音が発生するまでの時間を記したタイマー印字３２ｂと、威嚇音を鳴らす鳴動時間まであと何時間あるかを知るための逆算早見印字３２ｃとが記された黒色の薄紙が、貼着されている。また威嚇音発生体２の周縁には、通風のための通風切欠３３が複数設けられるとともに、中心にも通風兼取り付け及び取り出し用の通風孔３４が設けられている。更に下方に位置される威嚇音発生体２の火縄２１を下面側から受け入れる火縄連結用穴３５が設けられる。なお逆算早見印字３２ｃは、時計の文字盤と同じく１２と６を対向的に印字し、３０°間隔で１〜１２の数字が印字されている。なお詳しくは後述するが、このタイマーを１２時間とすることで、火縄３１のどの位置に着火すれば所望の時刻に鳴動させることができるか即座に判断できるようにしている。
【００３５】
次に収容器４について説明する。図１に示されるように、収容器４は、全体として略円柱形状のものであり、威嚇音発生体２とタイマー体３とを収容する収容本体部５と、複数の爆竹単体２６から成る爆竹連結体２５が連爆用導火線２７に着火された時に落下し、威嚇音を発生する個所である威嚇音発生部６と、前記収容本体部５の上部を閉鎖する上蓋７とを具えて成る。
【００３６】
前記収容本体部５は、図８に示されるように金属板により略円筒形に形成したものであり、側壁下部が下方にむかって先窄まりにテーパ状に形成されている。これは上蓋７をした状態では唯一の開口となる底部の開口を狭めることにより、風雨から収容本体部５内に収められる威嚇音発生体２とタイマー体３とを保護するためである。また収容本体部５の内部上方には威嚇音発生体２を支承するための内係止突起５２が設けられる。なおタイマー体３は、図１に示されるように威嚇音発生体２を内係止突起５２に支承した後、環状のスペーサ５７を威嚇音発生体２上に載置し、その上に載置するよう構成されている。
一方、外側面下方には、下方の威嚇音発生部６へ内嵌めした状態で係止するための外係止突起５１が設けられている。また外側面には、威嚇音発生体２へ内嵌めされた収容本体部５が外れないように連結する先端にフック５３ａを有した連結スプリング５３が具えられている。
【００３７】
前記威嚇音発生部６について説明する。威嚇音発生部６は、図９に示されるように円筒形容器で、周側面６１は金網で形成され、底部６２は複数の水抜孔６２ａが穿孔された金属板で閉鎖されている。また底部６２の中心には共鳴板支柱６４が立ち上げられ、これに対しソケット６５が遊びを持たせて外嵌めされ、このソケット６５の上端に威嚇音発生部６の口径よりも一回り小さな直径の金属円板の共鳴板６３が、浮動状態に係止されている。この共鳴板６３は、連爆用導火線２７に火が付き落下した爆竹連結体２５を受け、爆竹単体２６の破裂音を反響させるとともに、連続して破裂する爆竹連結体２５が衝突することにより揺れ動いて、この爆竹連結体２５や共鳴板支柱６４に当接することにより楽器のシンバルのような音を発するものである。また収容器４の側周面で、この共鳴板６３の４〜５ｃｍ上方までを囲うように側周閉鎖板６６が張設される。この側周閉鎖板６６は、爆竹連結体２５の火の粉が周囲に飛散するのを防止するとともに、爆竹連結体２５の破裂音の反響板の役目も担っている。
なお威嚇音発生部６の周側面６１は金網で形成するほか、通気性を有する種々の部材を適用できるものであり、その他の例として例えばパンチングメタル等で実施することも可能である。
【００３８】
次に上蓋７について説明する。上蓋７は、図８に示されるようにドーム形状をしたもので、中心上部に把手７３を有し、本実施例の特徴として上蓋７の口径は、収容本体部５の上縁開口より８ｍｍ程度大きく形成されるとともに、収容本体部５の上縁開口部を完全に密閉しないように、収容本体部５の上蓋支持突起５４により浮かせて支持される。これによって火縄２１、３１の煙Ｓ等が排出されるとともに、空気の通風をよくし、更に威嚇音発生体２から発生する煙Ｓから生じるヤニが上蓋７に付着して固化した場合にもスムーズな上蓋７の着脱が行えるように構成されている。また上蓋７の下部はフランジ状に形成して、このフランジ７１を外下がりのテーパ状としているため、図１１（ｂ）に示されるように、火縄２１、３１の熱等を原因とする上蓋７内面に付着する結露Ｌが、タイマー体３上に落下せずに、上蓋７の内壁面を伝って外部に排出されるよう構成されている。また上蓋７の把手７３には貫通孔７３ａが穿孔され、ここに吊り下げ用の係止リング７４が備えられている。
【００３９】
また例えば威嚇音の鳴動を３時間だけでよい場合には、途中で火縄２１の燃焼を止める必要があり、このために図１０（ｄ）に示すように豆クリップ等の燃焼中断用クリップ８が用意されている。
【００４０】
本発明の鳥獣威嚇装置１は一例として以上のような具体的形態を有するものであって、以下この使用態様について説明する。
（１）組み立て
まず初回に組み立てる際には、図１０（ａ）に示されるように威嚇音発生部底部６２の共鳴板支柱６４に対し、共鳴板６３を裏側に具えられたソケット６５にて外嵌めして取り付ける。なお共鳴板支柱６４とソケット６５との間に遊びがあることと、共鳴板６３がソケット６５に対し遊びを持って取り付けられていることから、共鳴板６３は、安定しないでどちらへでも揺れ動く状態である。
【００４１】
次に図１０（ｂ）（ｃ）に示されるように収容本体部５を威嚇音発生部６の上方から嵌め入れ、外係止突起５１の位置で威嚇音発生部６の上縁に係止し、連結スプリング５３の先端のフック５３ａを威嚇音発生部６の側周面の金網の網目に係止して収容本体部５と威嚇音発生部６とを連結固定する。このとき収容本体部５の下端は威嚇音発生部底部６２の中間高さ位置ほどに設定される。
【００４２】
次に図１０（ｄ）に示されるように、威嚇音発生体２を中心の通風孔２４に指を入れて支持しながら、収容本体部５の上方開口から水平に嵌め入れる。威嚇音発生体２は、収容本体部５の内側の内係止突起５２により支承される。そして特に威嚇音発生の時間を例えば３時間等に限定したい場合には、燃焼中断用クリップ８をタイマー印字２２ｂを見て、３時間のところに挟み止める。次にスペーサ５７を収容本体部５の上方開口から入れ威嚇音発生体２上に載置する。
次にタイマー体３を収容本体部５の上方開口から水平に嵌め入れ、前記スペーサ５７上に係止するが、このとき威嚇音発生体２の火縄２１の外周端をタイマー体３の火縄連結用穴３５に裏側から挿し通す。そしてこの威嚇音発生体２の火縄２１の先端と、タイマー体３の外周端の火縄３１とを、コシのある紙製の連結スリーブ３６内に挿入して連結する。
なお威嚇音発生体２は上面が全体的に赤く、タイマー体３は上面が全体的に黒いため、威嚇音発生体２とタイマー体３とを取り違えることがなく、また在庫の確認も間違うことがなく、どちらか一方の在庫を切らしてしまうようなことがない。
以上で鳥獣威嚇装置１の作動準備が整う。
【００４３】
（２）着火
鳥獣威嚇装置１の作動準備が整った後、図１０（ｅ）に示されるように、着火を行う。例えば現在時刻が午後６時３０分で翌朝の日の出時間が４時で、威嚇音を鳴らしたいのがその３０分前の午前３時３０分とした場合（すなわち９時間後に威嚇音を鳴らし始めたい場合）には、タイマー体３の火縄３１は１２時間であるため、渦巻き状の火縄３１の中心から３時間（１２−９＝３）経過した位置（３時間後のタイマー印字３２ｂの個所）から着火を行う。このときタイマー体３の逆算早見印字３２ｃを見ると、図４に示されるように現在時刻午後６時３０分から威嚇音開始時刻午前３時３０分までは時計反対回りで３時間であるため、１２時間タイマーの火縄３１の３時間部分が不要である（すなわち３時間経過した位置から着火を行えばよい）ことがすぐに判断つく。因みに鳥類に対する威嚇の場合には、威嚇音は、日の出時間の約３０分前から鳴るようにセットするのが好ましい。
【００４４】
そして着火後、図１０（ｆ）に示されるように、収容本体部５の上方開口に上蓋７を被せ、上蓋７のＬ字形の係止スリット７２を収容本体部５上端の上蓋支持用ネジ５５に挿入して抜け留め用に回転させて蝶ネジ５６で固定する。因みにすぐに鳥獣の威嚇を始めたい場合には、このタイマー体３は設けず、威嚇音発生体２の火縄２１の内周側の端部より着火を行う。
木の枝やその他の係止部材に吊り下げて使用する場合には、上蓋７の係止リング７４により引っ掛けて吊り下げる。もちろん地面に載置して使用するようにしてもよい。使用中に火縄２１、３１による熱と外部の温度差により上蓋７の内面側に結露Ｌが生じたりするが、図１１（ｂ）に示すように上蓋７の内面を伝って周縁のフランジ７１まで伝い落ちて、フランジ７１も下がり傾斜となっているため、そのまま上蓋７外縁と収容本体部５との間から外部に結露Ｌは排出される。
【００４５】
（３）威嚇音発生
上記の場合で、９時間経過すると、タイマー体３の火縄３１が燃焼し終り、威嚇音発生体２の火縄２１に燃焼が移る。火縄２１から爆竹連結体２５の連爆用導火線２７に火が移ると、連爆用導火線２７が燃えるため、図１０（ｆ）に示されるように、爆竹連結体２５が落下し、爆竹支承板２２から離れて威嚇音発生体２の共鳴板６３上に落下する。爆竹連結体２５は、次々に連続して爆竹単体２６が破裂し、共鳴板６３上を跳ねるように動き、図１１（ａ）に示されるように、共鳴板６３を浮動させて、楽器のシンバルのような音を発生させるとともに、爆竹連結体２５の破裂音も共鳴板６３や威嚇音発生部６の周囲に張設された側周閉鎖板６６に反響してより破裂音を増幅し、威嚇効果が増す。なお威嚇音発生時の煙Ｓは、威嚇音発生部６が金網で形成されているため、そのまま外部に煙Ｓが排出され、この煙Ｓも鳥獣類に対する威嚇となる。また火花や破裂残渣２５′は、側周閉鎖板６６によって遮られ、外部には飛散しない。
【００４６】
そして３０分経過後に次の威嚇音発生体２が共鳴板６３上に落下して再度破裂音を発生するが、このとき共鳴板６３を揺らすため、前回の威嚇音発生体２の破裂残渣２５′は、共鳴板６３と収容本体部５の側周面との隙間から落下する。このため、共鳴板６３上に溜まった破裂残渣２５′に落下してきた威嚇音発生体２の火花が燃え移るようなことが避けられる。
威嚇音発生体２の作動は、燃焼中断用クリップ８を火縄２１に付けている場合には、その時間に、また付けていない場合には、１０時間で終了する。
【００４７】
（４）鳥獣威嚇装置の再セット
鳥獣威嚇装置１を再度セットする場合には、まず上蓋７の蝶ネジ５６を緩めてロックを解き、上蓋７を少し回転させた後、持ち上げて取り外すが、このとき上蓋７と収容本体部５の間が比較的広く間隔が取られ、収容本体部５の上縁開口部を完全に密閉しないように収容本体部５の上縁より浮かせて支持されているため、ヤニが付着して固化しても簡単に取り外すことができる。
そしてタイマー体３の中心の通風孔３４に指を入れて引っ掛け、タイマー体３を持ち上げて取り外す。またスペーサ５７を取り外して威嚇音発生体２も通風孔２４に指を入れて引っ掛けて、持ち上げて取り外す。なおこの威嚇音発生体２は、燃焼中断用クリップ８を用いて例えば３時間等のみ作動させた場合には、未破裂の爆竹連結体２５が爆竹支承板２２に残っているため、タイマー体３を用いずに昼間等に鳴らす場合に使用できる。
また連結スプリング５３のフック５３ａを威嚇音発生部６の網から外し、収容本体部５を威嚇音発生部６から取り外す。そして図１０（ｇ）に示されるように、威嚇音発生部６を逆さに持ち上げると、共鳴板６３のソケット６５が共鳴板支柱６４から外れ、共鳴板６３が落下するとともに、共鳴板６３の下方に溜まった爆竹連結体２５の破裂残渣２５′が落下するため、破裂残渣２５′の除去が容易に行うことができる。なお上蓋７にヤニが付着増長している場合には適宜清掃する。
なおその後の共鳴板６３の威嚇音発生部底部６２への取り付け、威嚇音発生部底部６２への収容本体部５の取り付け、更に収容本体部５への威嚇音発生体２及びタイマー体３の取り付けは、前記「（１）組み立て」で述べたとおりである。
【実施例２】
【００４８】
実施例１では、タイマー体３及び前記威嚇音発生体２を、一枚ずつ設ける図示の実施例を示したが、その他タイマー体３及び前記威嚇音発生体２を二枚や三枚の複数枚で実施するように改変することも可能である。図１２（ａ）に示すものはタイマー体３を二枚、威嚇音発生体２を一枚で実施するものである。また図１２（ｂ）に示すものはタイマー体３を二枚、威嚇音発生体２を二枚で実施するものである。なお威嚇音発生体２を複数枚で実施する場合には、例えば下方に位置する威嚇音発生体２の通風切欠２３や、通風孔２４を大きくしたり、数を増加させる、あるいは威嚇音発生体２の周面にそのような連爆用導火線２７を通す空間を設け、長めの連爆用導火線２７を用いてそこを通すようにする。
【実施例３】
【００４９】
また実施例１では、共鳴板６３を一枚で実施したが、図１３に示されるものは、浮動自在な二枚の共鳴板６３を設けてそれら同士を当接させることにより、より大きな威嚇音を出すように改変した実施例である。
【図面の簡単な説明】
【００５０】
【図１】本発明の実施例１に係る鳥獣威嚇装置の使用状態を示す縦断側面図並びに威嚇音発生体及びタイマー体を示す斜視図である。
【図２】威嚇音発生体及びタイマー体を拡大して示す分解斜視図である。
【図３】威嚇音発生体を拡大して示す平面図である。
【図４】タイマー体を拡大して示す平面図である。
【図５】爆竹連結体を拡大して示す正面図である。
【図６】爆竹連結体の作製手順を段階的に示す説明図である。
【図７】爆竹連結体の取り付け手順を段階的に示す説明図である。
【図８】収容器における上蓋及び収容本体部を分解して示す斜視図である。
【図９】収容器における威嚇音発生部を分解及び一部破断して示す斜視図である。
【図１０】鳥獣威嚇装置の使用態様を段階的に示す説明図である。
【図１１】（ａ）は共鳴板の作動態様を示す縦断側面図であり、（ｂ）は上蓋の結露排出作用を示す縦断側面図である。
【図１２】タイマー体及び威嚇音発生体の枚数を増加した実施例２に係る二種の鳥獣威嚇装置を示す縦断側面図である。
【図１３】共鳴板を二枚設けた実施例３に係る鳥獣威嚇装置の威嚇音発生部を示す縦断側面図である。
【符号の説明】
【００５１】
１      鳥獣威嚇装置
２      威嚇音発生体
２１    火縄
２２    爆竹支承板
２２ａ  火縄設置個所印刷
２２ｂ  タイマー印字
２３    通風切欠
２４    通風孔
２５    爆竹連結体
２５′  破裂残渣
２６    爆竹単体
２６Ａ  火薬本体
２６Ｂ  導火線
２７    連爆用導火線
２８    糸
３      タイマー体
３１    火縄
３２    タイマー支承板
３２ａ  火縄設置個所印刷
３２ｂ  タイマー印字
３２ｃ  逆算早見印字
３３    通風切欠
３４    通風孔
３５    火縄連結用穴
３６    連結スリーブ
４      収容器
５      収容本体部
５１    外係止突起
５２    内係止突起
５３    連結スプリング
５３ａ  フック
５４    上蓋支持突起
５５    上蓋支持用ネジ
５６    蝶ネジ
５７    スペーサ
６      威嚇音発生部
６１    周側面
６２  （威嚇音発生部）底部
６２ａ  水抜孔
６３    共鳴板
６４    共鳴板支柱
６５    ソケット
６６    側周閉鎖板
７      上蓋
７１    フランジ
７２    係止スリット
７３    把手
７３ａ  貫通孔
７４    係止リング
８      燃焼中断用クリップ
Ｂ      糸巻具
Ｂａ    ボビン
Ｌ      結露
Ｐ      線状治具
Ｓ      煙
Ｔ      導火線取付工具
Ｔａ    中空管
Ｔｂ    柄
【図１】
2005261253.tif 000003
【図２】
2005261253.tif 000004
【図３】
2005261253.tif 000005
【図４】
2005261253.tif 000006
【図５】
2005261253.tif 000007
【図６】
2005261253.tif 000008
【図７】
2005261253.tif 000009
【図８】
2005261253.tif 000010
【図９】
2005261253.tif 000011
【図１０】
2005261253.tif 000012
【図１１】
2005261253.tif 000013
【図１２】
2005261253.tif 000014
【図１３】
2005261253.tif 000015